(57)【特許請求の範囲】
【請求項１】
浴槽に浴槽用流路を介して接続される風呂給湯用加熱部と、浴槽以外の熱需要部に熱需要部用流路を介して接続される熱需要部用加熱部とを備えた熱源機が設けられ、
前記浴槽用流路に、浴槽の水位に応じた圧力が印加される状態において、前記水位を検出する圧力検知式の水位センサが設けられ、
前記熱源機の運転を制御する制御手段が、前記風呂給湯用加熱部の運転停止状態において、前記水位センサの検出情報に基づいて前記水位を検出する水位検出制御を実行するように構成された熱供給システムであって、
前記制御手段は、前記水位検出制御を実行するときに、前記熱需要部用加熱部が運転状態にあるときは、その熱需要部用加熱部の運転を停止させるように構成されている熱供給システム。
【請求項２】
前記熱需要部用加熱部が、前記熱需要部である暖房用端末器に対して前記熱需要部用流路である暖房用循環流路により接続される暖房用熱交換器と、前記暖房用循環流路を通じて熱媒を循環させる暖房用循環ポンプと、前記暖房用熱交換器を加熱する暖房用バーナと、その暖房用バーナに燃焼用空気を供給する暖房燃焼用送風機とを備えて構成され、
前記制御手段は、前記水位検出制御を実行するための前記熱需要部用加熱部の運転停止状態として、前記暖房用バーナが燃焼状態にあり、且つ、前記暖房燃焼用送風機及び前記暖房用循環ポンプが運転状態にあるときには、前記暖房用バーナの燃焼を停止させ、且つ、前記暖房燃焼用送風機及び前記暖房用循環ポンプの運転を停止させ、前記暖房用循環ポンプのみが運転状態にあるときには、その暖房用循環ポンプの運転を停止させるように構成されている請求項１記載の熱供給システム。
【請求項３】
前記制御手段は、前記暖房用バーナの燃焼を停止させるときには、前記暖房用バーナの燃焼停止後、設定パージ時間が経過してから前記暖房燃焼用送風機の運転を停止させるように構成され、
前記水位検出制御の実行のために前記暖房用バーナの燃焼を停止させるときの前記設定パージ時間が、通常時に前記暖房用バーナの燃焼を停止させるときの前記設定パージ時間よりも短くなるように設定されている請求項２記載の熱供給システム。
【発明の詳細な説明】
【０００１】
【発明の属する技術分野】
本発明は、浴槽に浴槽用流路を介して接続される風呂給湯用加熱部と、浴槽以外の熱需要部に熱需要部用流路を介して接続される熱需要部用加熱部とを備えた熱源機が設けられ、
前記浴槽用流路に、浴槽の水位に応じた圧力が印加される状態において、前記水位を検出する圧力検知式の水位センサが設けられ、
前記熱源機の運転を制御する制御手段が、前記風呂給湯用加熱部の運転停止状態において、前記水位センサの検出情報に基づいて前記水位を検出する水位検出制御を実行するように構成された熱供給システムに関する。
【０００２】
【従来の技術】
かかる熱供給システムは、風呂給湯用加熱部の運転停止状態において、水位センサの検出情報に基づいて浴槽の水位を検出する水位検出制御を実行する構成となっている。
熱需要部用加熱部については、従来は、水位検出制御の実行中か否かに関係なく、熱需要部用加熱部の運転を指令する運転指令に基づいて運転させる構成となっていた。
【０００３】
【発明が解決しようとする課題】
従って、従来では、熱需要部用加熱部の運転中に、水位検出制御が実行される場合がある。その場合は、熱需要部用加熱部の運転に伴って発生する振動が、水位センサが設けられている浴槽用流路にまで伝わって、水位センサの検出値が不安定となるため、水位の検出精度が低下する虞があった。
【０００４】
本発明は、かかる実情に鑑みてなされたものであり、その目的は、浴槽の水位を検出するための制御構成を合理的に改善して、熱需要部用加熱部の運転に起因して水位の検出精度が低下するといった不具合を防止することにある。
【０００５】
【課題を解決するための手段】
〔請求項１記載の発明〕
請求項１に記載の特徴構成は、前記制御手段は、前記水位検出制御を実行するときに、前記熱需要部用加熱部が運転状態にあるときは、その熱需要部用加熱部の運転を停止させるように構成されていることにある。
【０００６】
請求項１に記載の特徴構成によれば、水位検出制御を実行するときには、常に、風呂給湯用加熱部及び熱需要部用加熱部共に運転停止状態となっているので、それらの運転に起因した浴槽用流路の振動が無い状態で、水位を検出することができる。
従って、熱需要部用加熱部の運転に起因して浴槽水位の検出精度が低下するといった不具合を防止することができるようになった。
【０００７】
〔請求項２記載の発明〕
請求項２に記載の特徴構成は、前記熱需要部用加熱部が、前記熱需要部である暖房用端末器に対して前記熱需要部用流路である暖房用循環流路により接続される暖房用熱交換器と、前記暖房用循環流路を通じて熱媒を循環させる暖房用循環ポンプと、前記暖房用熱交換器を加熱する暖房用バーナと、その暖房用バーナに燃焼用空気を供給する暖房燃焼用送風機とを備えて構成され、
前記制御手段は、前記水位検出制御を実行するための前記熱需要部用加熱部の運転停止状態として、前記暖房用バーナが燃焼状態にあり、且つ、前記暖房燃焼用送風機及び前記暖房用循環ポンプが運転状態にあるときには、前記暖房用バーナの燃焼を停止させ、且つ、前記暖房燃焼用送風機及び前記暖房用循環ポンプの運転を停止させ、前記暖房用循環ポンプのみが運転状態にあるときには、その暖房用循環ポンプの運転を停止させるように構成されていることにある。
【０００８】
請求項２に記載の特徴構成によれば、制御手段は、暖房用端末器の熱負荷に応じて、熱負荷が大きいときには、暖房用バーナを燃焼させ、並びに、暖房燃焼用送風機及び暖房用循環ポンプを運転させ、熱負荷が小さいときには、暖房用循環ポンプは運転させ、一方、暖房用バーナの燃焼を停止させ、並びに、暖房燃焼用送風機の運転を停止させるので、所定の温度範囲の湯水が暖房用端末器に供給される。
そして、制御手段は、水位検出制御を実行するときに、暖房用バーナが燃焼状態にあり、且つ、暖房燃焼用送風機及び暖房用循環ポンプが運転状態にあるときには、暖房用バーナの燃焼を停止させ、且つ、暖房燃焼用送風機及び暖房用循環ポンプの運転を停止させ、暖房用循環ポンプのみが運転状態にあるときには、その暖房用循環ポンプの運転を停止させる。
つまり、振動の発生源としては、暖房用循環ポンプが強いと考えられるが、その暖房用循環ポンプばかりでなく、暖房用バーナや暖房燃焼用送風機も考えられる。
そこで、水位検出制御を実行するときに、暖房用バーナが燃焼状態にあり、且つ、暖房燃焼用送風機及び暖房用循環ポンプが運転状態にあるときには、それらの全ての運転を停止させて、需要部用加熱部の運転に起因した振動を確実に無くならして、水位を精度良く検出するのである。
ちなみに、水位検出制御の所用時間は短いので、暖房用バーナの燃焼を一時的に停止させるにしても短時間で済み、暖房に影響を与えることはない。
【０００９】
〔請求項３記載の発明〕
請求項３に記載の特徴構成は、前記制御手段は、前記暖房用バーナの燃焼を停止させるときには、前記暖房用バーナの燃焼停止後、設定パージ時間が経過してから前記暖房燃焼用送風機の運転を停止させるように構成され、
前記水位検出制御の実行のために前記暖房用バーナの燃焼を停止させるときの前記設定パージ時間が、通常時に前記暖房用バーナの燃焼を停止させるときの前記設定パージ時間よりも短くなるように設定されていることにある。
【００１０】
暖房用バーナの燃焼を停止させるときには、暖房用バーナの燃焼停止後、設定パージ時間が経過してから暖房燃焼用送風機の運転を停止させる、所謂、アフターパージを実行するが、請求項３に記載の特徴構成によれば、水位検出制御の実行のために行うアフターパージの所用時間が、通常時に行うアフターパージの所用時間よりも短くなる。
つまり、水位検出制御のために暖房用バーナの燃焼を停止させるにしても、その停止に要する時間を、暖房用バーナに影響を与えることが無い状態で極力短くしてある。
従って、熱需要部用加熱部を運転停止状態として水位検出制御を実行するようにするにしても、熱需要部用加熱部を運転停止状態とするために水位検出制御に要する時間が長くなるといった不具合を、可及的に抑制することができる。
【００１１】
【発明の実施の形態】
以下、図１に基づいて、本発明の実施の形態を説明する。
図１に示すように、熱供給システムは、浴槽２１に浴槽用流路Ｆｂを介して接続される風呂給湯用加熱部Ｈｂと、浴槽以外の熱需要部Ｗに熱需要部用流路Ｆｗを介して接続される暖房用加熱部（熱需要部用加熱部に相当する）Ｈｗとを備えた熱源機Ｈ、その熱源機Ｈの運転を制御する制御装置Ｃ、及び、その制御装置Ｃに各種制御情報を送るリモコンＲｂ，Ｒｈ，Ｒｄを設けてある。
そして、風呂給湯用加熱部Ｈｂにより、カランやシャワーなどの一般給湯栓６に湯水を供給し、浴槽２１に湯水を張り、浴槽２１の湯水を追焚し、並びに、暖房用加熱部Ｈｗにより、熱需要部Ｗの一例としての、浴室暖房装置、ファンコンベクタ等の高温型暖房用端末器５３や、床暖房装置等の低温型暖房用端末器５４に、熱媒としての湯水を循環供給するものである。
又、風呂給湯用加熱部Ｈｂ及び暖房用加熱部Ｈｗは、夫々単独運転が可能であると共に、同時運転も可能なようになっている。
【００１２】
風呂給湯用加熱部Ｈｂについて、説明を加える。
風呂給湯用加熱部Ｈｂは、同じフィンを供用するように構成した給湯用熱交換器１及び追焚用熱交換器２と、これら給湯用熱交換器１及び追焚用熱交換器２を加熱する給湯用バーナ３と、この給湯用バーナ３に燃焼用空気を供給する給湯燃焼用送風機４を備えて構成してある。
【００１３】
給湯用熱交換器１の入口側には、一端側が水道管に接続された給水路５を接続し、出口側には、一端側が給湯栓６等を接続された給湯路７を接続してある。
給水路５には、上流側から順に、水フィルター８、アキュムレータ９、給水温度を検出する給水サーミスタ１０、給水量を検出する水量センサ１１を設けてある。水道管からの水を給湯用熱交換器１を迂回させて給湯路７に供給すべく、給水路５における水量センサ１１よりも下流側から分岐させた給水バイパス路１８を、給湯路７に接続してある。
【００１４】
給湯路７には、上流側から順に、給湯用熱交換器１からの湯水の温度を検出する給湯サーミスタ１２、給湯用熱交換器１からの湯水と給水バイパス路１８からの水との混合比を調整するミキシング弁１３、ミキシング弁１３により混合された後の湯水の温度を検出するミキシングサーミスタ１４、湯水の量を調整する水比例弁１５、一般給湯の割り込みを検出する割り込み水量センサ１６、過圧防止装置１７を設けてある。ミキシング弁１３は、給水バイパス路１８と給湯路７との接続部分に設けてある。
更に、給湯路７において、水比例弁１５と割り込み水量センサ１６との間の部分から、風呂用の湯張り路２０を分岐させてある。
【００１５】
給湯用熱交換器１には、その給湯用熱交換器１内の湯水の温度を検出する沸騰防止用サーミスタ１９を設けてある。
【００１６】
追焚用熱交換器２の入口側には、一端側が浴槽２１に設けた循環アダプタ２２に接続された風呂戻り路２３を接続し、出口側には、同じく一端側が循環アダプタ２２に接続された風呂往き路２４を接続してある。
風呂戻り路２３には、上流側、即ち、循環アダプタ２２側から順に、風呂戻り路２３に作用する圧力に基づいて浴槽２１内の水位を検出する圧力検知式の水位センサ２５、風呂戻りサーミスタ２６、風呂戻り路２３を開閉する風呂二方弁２７、エアー置換用電磁弁２８、浴槽２１の湯水循環用の追焚用循環ポンプ２９、水流スイッチ３０を設けてある。
風呂往き路２４には、風呂往きサーミスタ３３を設けてある。
【００１７】
給湯路７からの湯水を浴槽２１に供給するための風呂用の湯張り路２０は、風呂戻り路２３において、追焚用循環ポンプ２９と水流スイッチ３０との間に相当する部分に接続し、この湯張り路２０には、上流側から順に、湯張り路２０を開閉する湯張り電磁弁３１、湯張り逆止弁３２を設けてある。
【００１８】
つまり、給湯用熱交換器１からの湯水を、給湯路７、湯張り路２０、風呂戻り路２３及び風呂往き路２４を通じて浴槽２１に供給して湯張りをする。又、追焚循環ポンプ２９を運転することにより、風呂戻り路２３及び風呂往き路２４を通じて、浴槽２１の湯水を追焚熱交換器２と浴槽２１との間で循環させて追焚する。
従って、給湯路７、湯張り路２０、風呂戻り路２３及び風呂往き路２４が、風呂給湯用加熱部Ｈｂと浴槽２１とを接続する浴槽用流路Ｆｂに相当する。
【００１９】
暖房用加熱部Ｈｗについて、説明を加える。
暖房用加熱部Ｈｗは、暖房用熱交換器４１と、この暖房用熱交換器４１を加熱する暖房用バーナ４２と、この暖房用バーナ４２に燃焼用空気を供給する暖房燃焼用送風機４３を備えて構成してある。
暖房熱交換器４１の入口側には、熱媒戻り路４４を接続し、出口側には、高温暖房往き路４５を接続してある。
熱媒戻り路４４には、上流側から順に、暖房戻りサーミスタ４６、補給水タンク４７及び暖房用循環ポンプ４８を設け、高温暖房往き路４５における暖房熱交換器４１の近くに、暖房往き高温サーミスタ４９を設けてある。
更に、熱媒戻り路４４において、暖房用循環ポンプ４８よりも下流側の部分から、低温暖房往き路５０を分岐させ、その低温暖房往き路５０には、暖房往き低温サーミスタ５１を設けてある。
【００２０】
暖房用熱交換器４１には、その暖房用熱交換器４１内の湯水の温度を検出する沸騰防止用サーミスタ５２を設けてある。
補給水タンク４７には、給水路５における水フィルター８とアキュムレータ９との間の箇所から分岐させた補給水路５５を接続すると共に、オーバフロー路５６を接続してある。又、補給水タンク４７には、水位の上限を検出する上限センサ５７、水位の下限を検出する下限センサ５８を設けてある。
補給水路５５には、補給水バルブ５９、補給水電磁弁６０を設けてある。
【００２１】
高温暖房往き路４５と熱媒戻り路４４とには、高温型暖房用端末器５３を接続し、低温暖房往き路５０と熱媒戻り路４４とには、低温型暖房用端末器５４を接続してある。
そして、暖房用循環ポンプ４８を運転することにより、補給水タンク４７の湯水が熱媒戻り路４４を通流し、その一部が暖房用熱交換器４１を迂回して低温暖房往き路５０を通じて低温型暖房用端末器５４に供給され、残部が暖房用熱交換器４１に流入し、暖房用熱交換器４１で加熱された湯水が高温暖房往き路４５を通じて高温型暖房用端末器５３に供給され、高温型暖房用端末器５３から戻る湯水も低温型暖房用端末器５４から戻る湯水も熱媒戻り路４４を通じて補給水タンク４７に戻される。
従って、高温暖房往き路４５及び熱媒戻り路４４により高温暖房用循環流路ＲＨを構成し、低温暖房往き路５０及び熱媒戻り路４４により低温暖房用循環流路ＲＬを形成し、それら高温暖房用循環流路ＲＨ及び低温暖房用循環流路ＲＬが、暖房用加熱部Ｈｗと熱需要部Ｗとを接続する熱需要部用流路Ｆｗに相当する。
【００２２】
ガス供給路６１を給湯用バーナ３及び暖房用バーナ４２夫々に分岐接続してある。尚、給湯用バーナ３は３段式のバーナであり、給湯用バーナ３に対するガス供給路６１の分岐部は、更に３系統に分岐して給湯用バーナ３の各段に接続してある。そして、ガス供給路６１には、給湯用バーナ３及び暖房用バーナ４２に対する燃料ガス供給を断続する元ガス電磁弁６２を設けてある。更に、ガス供給路６１において、給湯用バーナ３に対する分岐部には、給湯用ガス比例弁６３を設け、その３系統の分岐部の１系統に給湯用ガス電磁弁６４を、及び、他の２系統夫々にガス切替え電磁弁６５を夫々設け、並びに、暖房用バーナ４２に対する分岐部には、暖房用ガス電磁弁６６、暖房用ガス比例弁６７を設けてある。
【００２３】
制御装置Ｃは、マイクロコンピュータを利用して構成してあり、熱源機Ｈの運転を制御するための熱源機用リモコンＲｂ、高温型暖房用端末器５３の運転を制御するための高温型暖房器用リモコンＲｈ、及び、低温型暖房用端末器５４の運転を制御するための低温型暖房機用リモコンＲｄ夫々と通信可能に構成してある。熱源機用リモコンＲｂには、図示は省略するが、運転の開始と停止を指示する運転スイッチ、湯張りを指示する湯張りスイッチ、追焚を指示する追焚スイッチ、一般給湯や湯張りの給湯温度を設定する温度設定スイッチ、湯張り時の水位を設定する水位設定スイッチ等を備えてある。高温型暖房器用リモコンＲｈには、図示は省略するが、運転の開始と停止を指示する運転スイッチ等を備え、同様に、低温型暖房機用リモコンＲｄには、運転の開始と停止を指示する運転スイッチ等を備えてある。
【００２４】
次に、制御装置Ｃによる制御作動について説明する。
先ず、風呂給湯用加熱部Ｈｂを制御する制御作動について説明する。
先ず、熱源機用リモコンＲｂの運転スイッチがオン操作されると、給湯栓６からの一般給湯運転や湯張り運転の実行が可能になり、湯張りスイッチがオン操作されると、湯張り運転を開始し、追焚スイッチがオン操作されると追焚運転を開始する。
【００２５】
一般給湯運転においては、給湯栓６が開かれて、水量センサ１１による検出水量が所定量以上になると、給湯燃焼用送風機４を作動した後、元ガス電磁弁６２及び給湯用ガス電磁弁６４を開弁し、給湯用ガス比例弁６３の開度を調節して、イグナイタ（図示せず）により給湯用ガスバーナ３に点火する。
そして、給湯用ガスバーナ３に点火すると、熱源機用リモコンＲｂの温度設定スイッチの設定給湯温度、給水サーミスタ１０による検出温度、水量センサ１１による検出水量に基づいて、ガス切替え電磁弁６５を適宜切換ると共に、給湯用ガス比例弁６３の開度を調整し、並びに、ミキシング弁１３の開度も調整して、給湯温度が設定温度になるように、所謂フィードフォワード制御を実行する。
又、このフィードフォワード制御と共に、熱源機用リモコンＲｂの温度設定スイッチの設定給湯温度とミキシングサーミスタ１４による検出温度との偏差に基づいて、給湯用ガス比例弁６３の開度を微調整する、所謂フィードバック制御を実行する。従って、温度設定スイッチによる設定給湯温度の湯水が給湯栓６から給湯される。
【００２６】
そして、給湯栓６が閉じられて、水量センサ１１による検出水量が所定量未満になると、元ガス電磁弁６２、給湯用ガス電磁弁６４及びガス切替え電磁弁６５を閉弁し、その閉弁後、通常用設定パージ時間Ｔｏが経過すると給湯燃焼用送風機４を停止して、一般給湯運転を終了する。
【００２７】
湯張り運転においては、熱源機用リモコンＲｂの湯張りスイッチがオン操作されると、湯張り電磁弁３１及び風呂二方弁２７を開弁し、水量センサ１１による検出水量が所定量以上になると、給湯燃焼用送風機４を作動した後、上述の一般給湯運転と同様に、給湯用ガスバーナ３に点火して、フィードフォワード制御及びフィードバック制御を実行する。従って、温度設定スイッチによる設定給湯温度の湯水が浴槽２１に供給される。
つまり、給水路５からの水が給湯用熱交換器１で加熱され、加熱後の湯に、給水バイパス路１８からの水が混合されて、湯張り路２０から風呂戻り路２３及び風呂往き路２４に供給され、風呂戻り路２３及び風呂往き路２４の両路から浴槽２１に供給される。
【００２８】
上述の湯張り運転においては、制御装置Ｃに備えてある指令部により、適宜、水位検出制御の実行指令を指令して、後述の如き水位検出制御を実行する。制御装置Ｃの指令部は、水位検出制御の実行指令を、例えば、水量センサ１１の検出値の積算値が予め設定してある設定水量に達することに基づいて、先ず指令し、その時の検出水位と熱源機用リモコンＲｂの水位設定スイッチによる設定水位との差に基づいて追加湯張り量を求め、続いて、水量センサ１１の検出値の積算値が求めた追加湯張り量になることに基づいて、指令する。
【００２９】
水位検出制御により検出された検出水位が水位設定スイッチによる設定水位になると、湯張り電磁弁３１、風呂二方弁２７、元ガス電磁弁６２、給湯用ガス電磁弁６４及びガス切替え電磁弁６５を閉弁し、その閉弁後、通常用設定パージ時間Ｔｏが経過すると給湯燃焼用送風機４を停止して、湯張り運転を終了する。
【００３０】
尚、湯張り運転中に、給湯栓６が開かれて、割り込み水量センサ１６が水流を検出すると、一時、湯張り電磁弁３１を閉弁し、湯張り運転を停止して一般給湯運転を実行し、給湯栓６が閉じられると、湯張り電磁弁３１を開弁して湯張り運転を再開する。
【００３１】
追焚運転は、湯張り運転の終了後に自動的に移行するか、あるいは、熱源機用リモコンＲｂの追焚スイッチがオン操作されると実行する。
追焚運転においては、追焚用循環ポンプ２９を作動させ、給湯用ガスバーナ３が燃焼していないときには、水流スイッチ３０の水流検出に伴って、上述の一般給湯運転と同様に、給湯用ガスバーナ３に点火し、風呂往きサーミスタ３３の検出温度に基づいて、給湯用ガス比例弁６３の開度を調節し、かつ、沸騰防止用サーミスタ１９による検出温度に基づいて給湯用熱交換器１内の湯水が沸騰しない程度に調整する。
このようにして、追焚用熱交換器２により浴槽２１内の湯水が加熱されて、風呂戻りサーミスタ２６の検出温度が熱源機用リモコンＲｂの設定風呂温度に達すると、追焚運転終了と判断して、元ガス電磁弁６２、給湯用ガス電磁弁６４及びガス切替え電磁弁６５を閉弁し、その閉弁後、通常用設定パージ時間Ｔｏが経過すると給湯燃焼用送風機４を停止して、追焚用循環ポンプ２９を停止させる。
【００３２】
尚、上述の一般給湯運転、湯張り運転及び追焚運転においては、給湯用バーナ３の燃焼を停止させるときに、後述するように、暖房運転が実行中で、暖房用バーナ４２が燃焼中のときは、給湯用ガス電磁弁６４及びガス切替え電磁弁６５を閉弁し、元ガス電磁弁６２は開弁状態に維持する。
【００３３】
次に、暖房用加熱部Ｈｗを制御する制御作動について説明する。
高温型暖房用端末器５３や低温型暖房用端末器５４に熱媒としての湯水を供給する暖房運転は、高温型暖房器用リモコンＲｈの運転スイッチ及び低温型暖房機用リモコンＲｄの運転スイッチのいずれか一方がオン操作されると開始する。
尚、高温型暖房器用リモコンＲｈの運転スイッチがオフ状態のときは、高温型暖房用端末器５３に備えられた熱動弁（図示せず）が閉弁状態となって、高温型暖房用端末器５３に湯水が通流せず、並びに、低温型暖房機用リモコンＲｄの運転スイッチがオフ状態のときは、低温型暖房用端末器５４に備えられた熱動弁  （図示せず）が閉弁状態となって、低温型暖房用端末器５４に湯水が通流しないようになっている。
【００３４】
暖房運転においては、暖房用循環ポンプ４８を作動させ、暖房燃焼用送風機４３を作動した後、元ガス電磁弁６２及び暖房用ガス電磁弁６６を開弁し、暖房用ガス比例弁６７の開度を調節して、イグナイタ（図示せず）により暖房用ガスバーナ４２に点火する。
【００３５】
そして、暖房用ガスバーナ４２に点火すると、暖房戻りサーミスタ４６、暖房往き高温サーミスタ４９及び暖房往き低温サーミスタ５１夫々の検出温度に基づいて、暖房用ガス比例弁６７の開度を調節して、高温型暖房用端末器５３や低温型暖房用端末器５４に供給する湯水の温度を調整する。
高温型暖房用端末器５３のみが運転されているときは、暖房戻りサーミスタ４６の検出温度と高温暖房器用設定温度（例えば、８０°Ｃ）とに基づいて、暖房用ガス比例弁６７の開度を調整するフィードフォワード制御、並びに、前記高温暖房器用設定温度と暖房往き高温サーミスタ４９の検出温度の偏差に基づいて、暖房往き高温サーミスタ４９の検出温度が前記高温暖房器用設定温度になるように、暖房用ガス比例弁６７の開度の微調整を行うフィードバック制御を実行する。
【００３６】
暖房用ガス比例弁６７の調整すべき開度が設定最小開度よりも小さいときは、元ガス電磁弁６２及び暖房用ガス電磁弁６６を閉弁し、その閉弁後、通常用設定パージ時間Ｔｏが経過すると暖房燃焼用送風機４３を停止し、その後、暖房用ガス比例弁６７の調整すべき開度が前記設定最小開度以上になると、暖房燃焼用送風機４３を作動した後、上述のように暖房用ガスバーナ４２を点火する。
【００３７】
又、高温型暖房用端末器５３及び低温型暖房用端末器５４の両方が運転されているときや、低温型暖房用端末器５４のみが運転されているときは、低温暖房器用設定温度（例えば、６０°Ｃ）、暖房戻りサーミスタ４６及び暖房往き低温サーミスタ５１夫々の検出温度に基づいて、暖房往き低温サーミスタ５１の検出温度が前記低温暖房器用設定温度になるように、暖房用ガス比例弁６７の開度をフィードフォワード制御並びにフィードバック制御する。
【００３８】
この場合も、暖房用ガス比例弁６７の調整すべき開度が前記設定最小開度よりも小さいときは、元ガス電磁弁６２及び暖房用ガス電磁弁６６を閉弁し、その閉弁後、通常用設定パージ時間Ｔｏが経過すると暖房燃焼用送風機４３を停止し、その後、暖房用ガス比例弁６７の調整すべき開度が前記設定最小開度以上になると、暖房燃焼用送風機４３を作動した後、上述のように暖房用ガスバーナ４２を点火する。
【００３９】
又、上限センサ５７及び下限センサ５８夫々の検出情報に基づいて、補給水電磁弁６０を開閉制御して、補給水タンク４７の水位を上限センサ５７の検出水位と下限センサ５８の検出水位との間に維持する。
【００４０】
そして、高温型暖房器用リモコンＲｈの運転スイッチ及び低温型暖房機用リモコンＲｄの運転スイッチのいずれもがオフ状態になると、元ガス電磁弁６２及び暖房用ガス電磁弁６６を閉弁し、その閉弁後、通常用設定パージ時間Ｔｏが経過すると暖房燃焼用送風機４３を停止すると共に、暖房用循環ポンプ４８を停止させて、暖房運転を終了する。
尚、上述の暖房運転において、暖房用ガスバーナ４２の燃焼を停止させるときに、上述の一般給湯運転、湯張り運転及び追焚運転のいずれかが実行中のときは、暖房用ガス電磁弁６６のみを閉弁し、元ガス電磁弁６２は開弁状態に維持する。
【００４１】
次に、水位検出制御について説明を加える。
高温型暖房器用リモコンＲｈの運転スイッチ及び低温型暖房機用リモコンＲｄの運転スイッチのいずれもがオフ状態で、高温型暖房用端末器５３及び低温型暖房用端末器５４のいずれも運転停止状態のときは、以下のように、水位検出制御を実行する。
即ち、水位検出制御の実行指令が指令されると、湯張り運転を一時停止する。即ち、元ガス電磁弁６２、給湯用ガス電磁弁６４及びガス切替え電磁弁６５を閉弁して、給湯用バーナ３の燃焼を停止させると共に、湯張り電磁弁３１及び風呂二方弁２７を閉弁し、給湯用バーナ３の燃焼停止後、通常用設定パージ時間Ｔｏよりも短く設定した検出用設定パージ時間Ｔｐが経過すると、給湯燃焼用送風機４を停止する。
続いて、水位センサ２５の検出値を読み込み、その読み込みが終了すると、湯張り運転を再開する。
【００４２】
高温型暖房器用リモコンＲｈの運転スイッチ及び低温型暖房機用リモコンＲｄの運転スイッチのうちの少なくとも一方がオン状態で、高温型暖房用端末器５３及び低温型暖房用端末器５４のうちの少なくとも一方が運転状態のときは、以下のように、水位検出制御を実行する。
即ち、図２に示すフローチャートに示すように、先ず、暖房用バーナ４２が燃焼中か否かを判別する（ステップ＃１）。
暖房用バーナ４２が燃焼中のときは、元ガス電磁弁６２、給湯用ガス電磁弁６４、ガス切替え電磁弁６５及び暖房用ガス電磁弁６６を閉弁して、給湯用バーナ３及び暖房用バーナ４２の燃焼を停止させると共に、湯張り電磁弁３１及び風呂二方弁２７を閉弁し、給湯用バーナ３及び暖房用バーナ４２の燃焼停止後、検出用設定パージ時間Ｔｐが経過すると、給湯燃焼用送風機４及び暖房燃焼用送風機４３を停止させ、暖房用循環ポンプ４８を停止させる（ステップ＃２〜＃７）。続いて、水位センサ２５の検出値を読み込み、その読み込みが終了すると、湯張り電磁弁３１及び風呂二方弁２７を開弁し、暖房用循環ポンプ４８を作動させ、給湯燃焼用送風機４及び暖房燃焼用送風機４３を作動させた後、上述のように、給湯用バーナ３及び暖房用バーナ４２を燃焼させる（ステップ＃８〜＃１２）。
【００４３】
ステップ＃１で、暖房用バーナ４２が燃焼停止中のときは、元ガス電磁弁６２、給湯用ガス電磁弁６４及びガス切替え電磁弁６５を閉弁して給湯用バーナ３の燃焼を停止させると共に、湯張り電磁弁３１及び風呂二方弁２７を閉弁し、給湯用バーナ３の燃焼停止後、検出用設定パージ時間Ｔｐが経過すると、給湯燃焼用送風機４を停止させ、暖房用循環ポンプ４８を停止させる（ステップ＃１３〜  ＃１８）。
続いて、水位センサ２５の検出値を読み込み、その読み込みが終了すると、湯張り電磁弁３１及び風呂二方弁２７を開弁し、暖房用循環ポンプ４８を作動させ、給湯燃焼用送風機４を作動させた後、上述のように、給湯用バーナ３を燃焼させる（ステップ＃１９〜＃２３）。
尚、検出用設定パージ時間Ｔｐは、給湯用バーナ３及び暖房用バーナ４２に影響を与えない状態で、極力短く設定してある。
【００４４】
〔別実施形態〕
次に別実施形態を説明する。
（イ）  暖房用加熱部Ｈｗの具体構成は、上記の実施形態において例示した構成に限定されるものではない。
例えば、上記の実施形態の構成において、低温暖房往き路５０を省略して、一種類の温度の湯水を供給するように構成しても良い。
又、カランやシャワーなどの一般給湯栓に湯水を供給するように構成しても良い。
【００４５】
（ロ）  上記の実施形態において、暖房用加熱部Ｈｗにおいて用いる熱媒としては、湯水に限定されるものではなく、他の熱媒でも良い。
【００４６】
（ハ）  上記の実施形態においては、熱源機用リモコンＲｂ、高温型暖房器用リモコンＲｈ及び低温型暖房機用リモコンＲｄの夫々を設ける場合について例示したが、１個のリモコンを、熱源機Ｈ、高温型暖房用端末器５３及び低温型暖房用端末器５４夫々の運転の制御が可能なように構成しても良い。
【図面の簡単な説明】
【図１】熱供給システムの全体構成を示すブロック図
【図２】制御動作のフローチャートを示す図
【符号の説明】
２５        水位センサ
４１        暖房用熱交換器
４２        暖房用バーナ
４３        暖房燃焼用送風機
４８        暖房用循環ポンプ
５３，５４  暖房用端末機
Ｃ          制御手段
Ｆｂ        浴槽用流路
Ｆｗ        熱需要部用流路
Ｈ          熱源機
Ｈｂ        風呂給湯用加熱部
Ｈｗ        熱需要部用加熱部
ＲＨ，ＲＬ  暖房用循環流路
Ｗ          熱需要部
【図１】
0004215337.tif 000002
【図２】
0004215337.tif 000003